(57)【特許請求の範囲】
【請求項１】
リードピンが樹脂パッケージの一側面のみから出ている制御装置を備え、
該制御装置は、前記一側面を制御基板の実装面に略対向させて、前記リードピンにより前記制御基板に実装され、
前記制御基板は、前記実装面を、内部を視認可能な基板ケースの正面に向けて、該基板ケースに収納されている遊技機において、
前記制御装置は、前記基板ケースの正面に略向く面を、前記一側面より面積の大きい広面として構成され、
該広面は、前記制御装置に関する情報が付された表示面とされていることを特徴とする遊技機。
【請求項２】
前記制御装置は、前記リードピンを有する制御装置本体部と、前記表示面を有する表示プレート部とを備えて構成され、
前記表示プレート部は、前記表示面を有するプレート部本体と、該プレート部本体を前記制御装置本体部に取り付ける取付部とを備え、該取付部により前記制御装置本体部に取り付けられていることを特徴とする請求項１に記載の遊技機。
【請求項３】
前記表示プレート部は、前記基板ケースの正面に対する前記表示面の角度を調整可能とされていることを特徴とする請求項２に記載の遊技機。
【請求項４】
前記プレート部本体は、透明部材により形成されていることを特徴とする請求項２又は３に記載の遊技機。
【発明の詳細な説明】
【技術分野】
【０００１】
本発明は、遊技機、特に、遊技制御用ＲＯＭ等の制御装置を備える遊技機に関する。
【背景技術】
【０００２】
従来から、パチンコ遊技機やスロットマシン等の遊技機が備える遊技制御用ＲＯＭ等の制御装置として、図１２に示すような、リードピン１０１が樹脂パッケージ１０２の一側面１０２ａのみから出ている制御装置１００が知られている。このような制御装置１００を備える遊技機では、制御装置１００と制御基板１０５との間に、不正な遊技プログラムを記録した制御装置（以下「不正チップ」という）を基板ケース１１０の正面から（図１２に示す矢印ａの向きから）見えないように配置することができないため、制御基板１０５に不正チップを取り付ける不正行為を抑制する効果を奏していた。ここで、基板ケース１１０の正面は、図１２に１１０ａとして示す面とする。なお、このような制御装置を備える遊技機は、例えば、下記特許文献１の図１７に示されている。
【先行技術文献】
【特許文献】
【０００３】
【特許文献１】特開２００６−３２６２８２号公報
【発明の概要】
【発明が解決しようとする課題】
【０００４】
しかしながら、上記制御装置１００では、制御基板１０５の実装面１０５ａに対して略垂直に立って左右方向に伸びている側面１０２ｂが、側面のうちで最も面積の大きい面となっており、この側面１０２ｂに、型式名や型番などの制御装置１００に関する情報が記された識別シール１０３が貼付されているため、図１３に示すように制御装置１００が実装された制御基板１０５を基板ケース１１０に収納した状態で、識別シール１０３を目視する場合には、基板ケース１１０の正面１１０ａに正対して目視することができず（図１３図示矢印ｂ参照）、基板ケース１１０の正面１１０ａに対して斜め上から覗くように見る必要があった（図１３図示矢印ｃ参照）。そのため、制御装置１００が不正に取り替えられていないか検査する際、識別シール１０３に記された型式名や型番などの制御装置１００に関する情報を目視しづらかった。
【０００５】
特に、図１３に示すように、基板ケース１１０の正面１１０ａにも、メーカー名や機種名が記された識別シール１１１が貼付されるため、この識別シール１１１が貼付される箇所によっては、基板ケース１１０に貼付された識別シール１１１を透して制御装置１００に貼付された識別シール１０３を見ることとなり（図１３図示矢印ｃ参照）、制御装置１００に記された識別情報を目視することが極めて困難となることがあった。
【０００６】
そこで本発明では、上記事情に鑑み、リードピンが樹脂パッケージの一側面のみから出ている制御装置を備える遊技機であっても、制御装置に記された識別情報の目視検査を容易に行えるようにすることを目的とする。
【課題を解決するための手段】
【０００７】
本発明の遊技機は、リードピンが樹脂パッケージの一側面のみから出ている制御装置を備え、該制御装置は、前記一側面を制御基板の実装面に略対向させて、前記リードピンにより前記制御基板に実装され、前記制御基板は、前記実装面を、内部を視認可能な基板ケースの正面に向けて、該基板ケースに収納されている遊技機において、前記制御装置は、前記基板ケースの正面に略向く面を、前記一側面より面積の大きい広面として構成され、該広面は、前記制御装置に関する情報が付された表示面とされていることを特徴とする。
【０００８】
ここで、本発明の遊技機では、前記制御装置は、前記リードピンを有する制御装置本体部と、前記表示面を有する表示プレート部とを備えて構成され、前記表示プレート部は、前記表示面を有するプレート部本体と、該プレート部本体を前記制御装置本体部に取り付ける取付部とを備え、該取付部により前記制御装置本体部に取り付けられている構成とすることができる。
【０００９】
また、本発明の遊技機では、前記表示プレート部は、前記基板ケースの正面に対する前記表示面の角度を調整可能とされている構成とすることが望ましい。
【００１０】
また、本発明の遊技機では、前記プレート部本体は、透明部材により形成されている構成とすることが望ましい。
【発明の効果】
【００１１】
本発明によれば、リードピンが樹脂パッケージの一側面のみから出ている制御装置であっても、基板ケースの正面に略向く面は、一側面より面積の大きい広面とされ、この広面は、制御装置に関する情報の付された表示面となっている。そのため、基板ケースの正面から表示面に略正対して、表示面に付された制御装置に関する情報を目視することができるので、制御装置に関する情報を容易に確認することができる。
【図面の簡単な説明】
【００１２】
【図１】本発明の第１実施形態の遊技機の背面側を示す概略図である。
【図２】同遊技機が備える基板ケースの概略分解斜視図である。
【図３】同遊技機が備える基板ケースを示す概略斜視図である。
【図４】同遊技機が備える制御装置を示す斜視図であって、（Ａ）は前方側から見た斜視図、（Ｂ）は後方側から見た斜視図である。
【図５】（Ａ）は、同遊技機が備える基板ケースの要部正面図であり、（Ｂ）は、識別シールの貼付する位置を変更した基板ケースの要部断面図であり、図３のＶ‐Ｖ部位に対応する。
【図６】同遊技機の電気系統を示すブロック図である。
【図７】第２実施形態の遊技機が備える制御装置を示す斜視図であって、（Ａ）は前方側から見た斜視図、（Ｂ）は後方側から見た斜視図である。
【図８】第３実施形態の遊技機が備える制御装置を示す斜視図であって、（Ａ）は前方側から見た斜視図、（Ｂ）は後方側から見た斜視図である。
【図９】第４実施形態の遊技機が備える制御装置を示す斜視図であって、（Ａ）は前方側から見た斜視図、（Ｂ）は後方側から見た斜視図である。
【図１０】第５実施形態の遊技機が備える制御装置を示す斜視図であって、（Ａ）は前方側から見た斜視図、（Ｂ）は後方側から見た斜視図である。
【図１１】第６実施形態の遊技機が備える制御装置を示す斜視図であって、（Ａ）は前方側から見た斜視図、（Ｂ）は後方側から見た斜視図である。
【図１２】従来の遊技機が備える基板ケースの概略分解斜視図である。
【図１３】従来の遊技機が備える基板ケースを示す概略斜視図である。
【発明を実施するための形態】
【００１３】
１．第１実施形態
図１に示すように、第１実施形態の遊技機は、パチンコ遊技機１であって、遊技機枠９の内部に遊技盤２を取り付けて構成されている。遊技盤２の裏面２ａ側には、主制御基板（遊技制御基板）５を覆った主基板ケース１０が配設されている。また、主基板ケース１０の下方に位置する遊技機枠９の下部には、払出制御基板７を覆った払出基板ケース８が配設されている。なお、本明細書中、上下方向および左右方向は、図１に示す遊技盤２の裏面２ａ側を基準とし、また、前後方向は、遊技盤２の裏面２ａ側を後方とし、遊技盤２の前面側を前方とする。
【００１４】
主基板ケース１０は、透明なポリカーボネート等の合成樹脂から形成されており、上縁１０ａに断面Ｕ字状の取付フック１１が設けられ、この取付フック１１を、盤裏カバー３に配設された二本の取付軸４，４に対して下方側から引っ掛け、下縁１０ｂ側を、後方側に移動しないように押え爪片６に係止させている。なお、この主基板ケース１０は、押え爪片６の係止を解除して下縁１０ｂ側を後方に引けば、取付軸４回りに後方回転させることができ、主制御基板５の裏面を確認することができる。また、主基板ケース１０の上縁１０ａ側は、盤裏カバー３に取り付けられた盤裏カバー蓋３ａの下部に覆われている。
【００１５】
図２，３に示すように、主基板ケース１０は、前方側の底側ケース２０と後方側の蓋側ケース３０とを備えて略箱形状に構成されるとともに、右縁側に、封止部４０を備えて構成されている。この主基板ケース１０は、底側ケース２０と蓋側ケース３０との間に主制御基板５を収納して、第１の係合手段１５及び第２の係合手段１６を係合させて閉塞され、封止部４０を利用して開放不能に封止されている。ここで、図２に１０ｃとして示す面、すなわち、基板ケース１０を後方から見て正対する面を、主基板ケース１０の正面とする。
【００１６】
底側ケース２０は、図２に示すように、略長方形板状の底壁部２２を有し、底壁部２２の周縁からは、略筒形状の側壁部２３が延設されている。側壁部２３は、上壁部２４、下壁部２５、左壁部２６、右壁部２７を有して構成されている。蓋側ケース３０は、略長方形板状の天井壁部３２を有し、天井壁部３２の周縁から、略筒形状の側壁部３３が延設されている。側壁部３３は、上壁部３４、下壁部３５、左壁部３６、右壁部３７を有して構成されている。両上壁部２４，３４及び両下壁部２５，３５には、第１の係合手段１５及び第２の係合手段１６が形成されている。なお、主基板ケース１０の閉塞状態では、天井壁部３２は、底壁部２２と前後方向で略平行に対向する。
【００１７】
第１の係合手段１５は、両上壁部２４，３４及び両下壁部２５，３５に、それぞれ、三箇所ずつ形成されている。具体的には、底側ケース２０の上壁部２４と下壁部２５に、Ｌ字状の挿入溝１５ｂを有した係止フック部１５ａが形成され、蓋側ケース３０の上壁部３４と下壁部３５に、係止ピン１５ｃが形成されている。
【００１８】
第２の係合手段１６は、底側ケース２０の上壁部２４及び下壁部２５に形成された凸形状の嵌合部１６ａと、蓋側ケース３０の上壁部３４及び下壁部３５に形成された凹形状の嵌合部１６ｂとで構成されている。
【００１９】
主基板ケース１０の閉塞は、係止ピン１５ｃを挿入溝１５ｂに挿入させるように、蓋側ケース３０を底側ケース２０に対して嵌め合わせ、係止ピン１５ｃを係止フック部１５ａに係止させるように、蓋側ケース３０を底側ケース２０に対して右方向（係合方向）へスライドさせることにより行われる。この際、両嵌合部１６ａ，１６ｂが相互に嵌合して、蓋側ケース３０の左方向（係合解除方向）への移動が規制される。なお、これらの嵌合部１６ａ，１６ｂは、強い力で蓋側ケース３０を左方向（係合解除方向）へ移動させれば、嵌合の解除が可能である。
【００２０】
封止部４０は、図２に示すように、蓋側ケース３０に配設される蓋側封止部４２と、底側ケース２０に配設される底側封止部４６とを備え、両封止部４２，４６を相互に締結することにより、蓋側ケース３０を底側ケース２０に対して開き不能に封止するものである。
【００２１】
蓋側封止部４２は、略円筒形状のホルダ部４３と、ホルダ部４３に挿通されたロックピン４４とを備えている。底側封止部４６は、ロックピン４４が嵌挿される略円筒形状の嵌合部４７を備えている。主基板ケース１０の封止は、ロックピン４４を、ホルダ部４３から嵌合部４７に跨がるように押し込んでかしめ、蓋側封止部４２と底側封止部４６とを締結することにより行われる。これにより、蓋側ケース３０の左方向（係合解除方向）へのスライドが規制され、主基板ケース１０は開放不能に封止される。なお、ホルダ部４３には、主基板ケース１０の封止後にロックピン４４を引き抜くことができないように、後方からキャップ（図示せず）が外れ不能に嵌入される。これにより、蓋側封止部４２を破壊等して主基板ケース１０の封止を解除しない限り、主基板ケース１０を開放することは不可能とされる。
【００２２】
主制御基板５は、図２に示すように、ＩＣ等の各素子が実装される実装面５ａを蓋側ケース３０の天井壁部３２側に向け、実装面５ａとは反対側の裏面５ｂを底側ケース２０の底壁部２２側に向けて、蓋側ケース３０に固定されている。
【００２３】
主制御基板５には、制御装置５０が実装されている。制御装置５０は、遊技制御用ＲＯＭ（制御装置本体に相当する）５１に、表示プレート（表示プレート部に相当する）６０を取り付けて構成されている。
【００２４】
遊技制御用ＲＯＭ５１は、演算処理装置であるＣＰＵ５２（図６参照）と、ＣＰＵ５２により実行される各種の遊技制御プログラムや固定値データ等を記憶したＲＯＭ５３（図６参照）と、そのＲＯＭ５３内に記憶される制御プログラムの実行に当たって各種のデータ等を一時的に記憶するためのメモリであるＲＡＭ５４（図６参照）とを一つのチップに集約した、いわゆるワンチップマイコンである。
【００２５】
この遊技制御用ＲＯＭ５１は、図４のＡに示すように、ＺＩＰ（Zigzag  Inline  Package）タイプのＬＳＩ、すなわち、半導体チップ（図示せず）を覆う略長方形状の樹脂パッケージ５６の一側面５６ａのみからリードピン５７が取り出され、リードピン５７が樹脂パッケージ５６の一側面５６ａ内で交互に折り曲げられた構成のＬＳＩであり、リードピン５７を主制御基板５に設けられたスルーホール（図示せず）に挿入して、ハンダ付けにより固定されるとともに電気的に接続されている。
【００２６】
樹脂パッケージ５６の形状は、左右方向の長さ寸法Ｌ１が前後方向の長さ寸法Ｌ２の３倍程度、前後方向の長さ寸法Ｌ２が上下方向の長さ寸法Ｌ３の４倍程度とされた、略薄板形状とされている。すなわち、樹脂パッケージ５６は、主制御基板５の実装面５ａと対向する面であってリードピン５７が出ている前面（一側面）５６ａ、主制御基板５に実装された状態において基板ケース１０の正面１０ｃに向く後面５６ｂ、左側面５７ｃ、及び右側面５８ｄを、面積の小さな面とし、上面５９ｅ及び下面５９ｆを、他の面より面積の大きな面として構成されている。
【００２７】
遊技制御用ＲＯＭ５１には、後方から、表示プレート６０が取り付けられる。表示プレート６０は、プレート部本体６１と、取付部６７とを備えて構成されている。
【００２８】
プレート部本体６１は、前後方向を薄肉とし、左右方向が上下方向よりも長い略長方形状とされている。このプレート部本体６１は、上下方向の長さ寸法Ｌ４が、樹脂パッケージ５６の上下方向の長さ寸法Ｌ３よりも長く形成されており、図４のＢに示すように、後面６１ａが、樹脂パッケージ５６の前面５６ａよりも面積の大きい広面６２とされている。広面６２には、遊技制御用ＲＯＭ５１の型式名や型番などの識別情報が記載された識別シール７０が貼付されるとともに、遊技制御用ＲＯＭ５１に関するその他の製品情報が印字７１されている。すなわち、広面６２は、遊技制御用ＲＯＭ５１に関する情報が付された表示面６３となっている。なお、プレート部本体６１の広面６２の大きさは、遊技制御用ＲＯＭ５１の上面５１ｅの大きさと同程度とされている。また、制御装置５０を主制御基板５に実装した際に、プレート部本体６１を透して後方から主制御基板５の実装面５ａを目視できるように、プレート部本体６１は、無色透明又は有色透明な合成樹脂部材により形成されている。
【００２９】
また、プレート部本体６１は、図４のＡに示すように、前面６１ｂから前方へ向かって延設される２つのフランジ部６５，６５を備えている。プレート部本体６１は、このフランジ部６５，６５を利用して、後述する取付部６７の左右の側面６７ａ，６７ｂに軸支されている。
【００３０】
取付部６７は、上下方向を薄肉とし、左右方向が前後方向より長い略長方形状の部材である。取付部６７の左側面６７ａおよび右側面６７ｂの後部には、プレート部本体６１を軸支するための軸支孔が穿設されており、この軸支孔と両フランジ部６５，６５に穿設された挿通孔とに跨るように軸支ピン６６，６６が挿通されている。このようにして、プレート部本体６１は、取付部６７に回動可能に軸支されており、図４のＢに示すように、表示面６３を下方に向けるように、又は、表示面６３を上方に向けるように回動させて、基板ケース１０の正面１０ｃに対する表示面６３の角度を調整することが可能となっている。
【００３１】
また、取付部６７の前面側には、図４のＡに示すように、遊技制御用ＲＯＭ５１の後部に係合可能な係合孔部６８が形成されている。表示プレート６０は、遊技制御用ＲＯＭ５１の後部をこの係合孔部６８に圧入させて係合させることにより、図４のＢに示すように、遊技制御用ＲＯＭ５１に取り付けられている。
【００３２】
図３は、このように構成された制御装置５０を実装した主制御基板５を基板ケース１０に収納した状態を示している。表示面６３は、基板ケース１０を正面から（図３図示矢印ｄの向きから）見た際に略正対して視認できるように、蓋側ケース３０の天井壁部３２に略対向している。天井壁部３２の外表面３２ａには、パチンコ遊技機の機種名およびメーカー名などの識別情報が示された識別シール７２が貼付されている。識別シール７２は、無色透明のベース材に有色で文字が印刷されたものであり、識別シール７２を透して、主基板ケース１０内部を目視することが可能となっている。この識別シール７２は、図５のＡに示すように、基板ケース１０を正面から見て、表示面６３と、左右方向において一致し、上下方向においてずれた位置に貼付されている。したがって、基板ケース１０を正面から見れば、識別シール７２を透すことなく、制御装置５０の表示面６３を正対して目視することができる。なお、図５のＢに示すように、識別シール７２を表示面６３と前後方向で重なるように貼付した場合は、プレート部本体６１を軸支ピン６６回りに回動させて、表示面６３を斜め上方に向くよう調整すれば（図５のＢの二点鎖線参照）、図５のＢに矢印ｅで示す向きで目視することにより、識別シール７２を透すことなく、表示面６３を正対して目視することができる。但し、表示面６３を基板ケース１０の正面１０ｃに向けたまま識別シール７２を透して目視しても、表示面６３を正対して目視することができるので、識別シール７０や印字７１によって記された制御装置５０に関する情報を確認することは十分に容易である。
【００３３】
なお、第１実施形態のパチンコ遊技機１の電気系統は、図６に示すブロック図のように構成されている。すなわち、第１実施形態のパチンコ遊技機１は、主制御基板５、払出制御基板７、及びサブ制御基板１７を備え、サブ制御基板１７は、演出制御基板１２、画像制御基板１３、及び、ランプ制御基板１４を備えている。払出制御基板７及び演出制御基板１２は主制御基板５に接続され、画像制御基板１３及びランプ制御基板１４は演出制御基板１２に接続されている。
【００３４】
主制御基板５は、大当たり抽選（即ち、大当たり乱数の取得とその大当たり乱数を用いた判定）や遊技状態の移行など主に利益に関わる制御を行う。大当たり抽選は、遊技球の始動口への入賞に対して行われる。主制御基板５には、始動口に入賞した遊技球を検知する始動口スイッチ、大当たり遊技中に大入賞口を開口させる大入賞口ソレノイド、大入賞口に入賞した遊技球を検知する大入賞口スイッチなどが接続されている。
【００３５】
また、主制御基板５は、払出制御基板７に各種コマンドを送信するとともに、払い出し監視のために払出制御基板７から信号を受信する。払出制御基板７には、払出制御用ＲＯＭ１８が実装されており、払出制御用ＲＯＭ１８は、遊技制御用ＲＯＭ５１と同様、ＣＰＵと、ＲＯＭと、ＲＡＭとを一つのチップに集約したワンチップマイコンであり、ＺＩＰタイプのＬＳＩである。払出制御基板７は、主制御基板５から受信したコマンドに従って払出駆動モータを動作させ、図示しない払出装置を駆動して、賞球の払出を行う。
【００３６】
さらに、主制御基板５は、演出制御基板１２に対し各種コマンドを送信し、演出制御基板１２は、画像制御基板１３との間でコマンドや信号の送受信を行う。画像制御基板１３は、演出制御基板１２から受信したコマンドに従って、画像表示器に装飾図柄その他の画像を表示し、スピーカから音声を出力する。また、演出制御基板１２は、ランプ制御基板１４との間でコマンドや信号の送受信を行う。ランプ制御基板１４は、演出制御基板１２から受信したコマンドに従って、枠ランプや盤ランプを点灯・消灯する。
【００３７】
以上説明したように、第１実施形態のパチンコ遊技機１は、リードピン５７が樹脂パッケージ５６の一側面５６ａのみから出ている制御装置５０を備え、制御装置５０は、一側面５６ａを主制御基板５の実装面５ａに略対向させて、リードピン５７により主制御基板５に実装され、主制御基板５は、実装面５ａを、内部を視認可能な主基板ケース１０の正面１０ｃに向けて、主基板ケース１０に収納されている。そして、制御装置５０は、主基板ケース１０の正面１０ｃに略向く面を、一側面５６ａより面積の大きい広面６２として構成され、広面６２は、制御装置５０に関する情報が付された表示面６３とされている。ここで、表示面６３が主基板ケース１０の正面１０ｃに略向くとは、表示面６３が主基板ケース１０の正面１０ｃに対して完全に平行となっていなくともよいことを意味する。
【００３８】
したがって、第１実施形態のパチンコ遊技機１によれば、リードピン５７が樹脂パッケージ５６の一側面５６ａのみから出ている制御装置５０であっても、主基板ケース１０の正面１０ｃに略向く面は、一側面５６ａより面積の大きい広面６２とされ、この広面６２は、制御装置５０に関する情報の付された表示面６３となっている。そのため、主基板ケース１０の正面１０ｃから表示面６３に略正対して、識別シール７０や印字７１によって表示面６３に付された制御装置５０に関する情報を目視することができるので、制御装置５０に関する情報を容易に確認することができる。
【００３９】
また、第１実施形態のパチンコ遊技機１では、制御装置５０は、リードピン５７を有する遊技制御用ＲＯＭ５１（制御装置本体部）と、表示面６３を有する表示プレート６０（表示プレート部）とを備えて構成され、表示プレート６０は、表示面６３を有するプレート部本体６１と、プレート部本体６１を遊技制御用ＲＯＭ５１に取り付ける取付部６７とを備え、取付部６７により遊技制御用ＲＯＭ５１に取り付けられている。
【００４０】
したがって、第１実施形態のパチンコ遊技機１によれば、既存の遊技制御用ＲＯＭ５１に対して、表示プレート６０を取り付けるだけで、制御装置に関する情報を容易に確認可能な制御装置５０を構成できる。すなわち、既存の遊技制御用ＲＯＭ５１を利用して、本発明に係る制御装置５０を容易に製造することができる。
【００４１】
また、第１実施形態のパチンコ遊技機１では、表示プレート６０（表示プレート部）は、主基板ケース１０の正面１０ｃに対する表示面６３の角度を調整可能とされている。
【００４２】
したがって、主基板ケース１０の正面１０ｃ（実施形態では、蓋側ケース３０における天井壁部３２の外表面３２ａ）に識別シール７２が貼付されており、主基板ケース１０を正面から見たときに、識別シール７２と制御装置５０の表示面６３とが重なって、表示面６３に付された制御装置５０に関する情報が確認しづらい場合であっても、表示面６３の角度を調整することで、制御装置５０に関する情報を目視し易くすることができる。
【００４３】
また、第１実施形態のパチンコ遊技機１では、プレート部本体６１は、透明部材により形成されている。
【００４４】
したがって、プレート部本体６１を透して、主制御基板５を目視することができるので、不正な遊技プログラムが書きこまれた制御装置（所謂不正チップ）を、プレート部本体６１と主制御基板５との間に隠すように配置する不正行為を、抑制することができる。
【００４５】
２．第２実施形態
次に、図７に基づいて第２実施形態の遊技機（パチンコ遊技機）について説明する。第２実施形態のパチンコ遊技機が備える主制御基板には、図７のＡに示す制御装置５０Ａが実装されている。なお、以下に示す第２実施形態から第６実施形態のパチンコ遊技機において、第１実施形態のパチンコ遊技機１と同様の構成については、第１実施形態のパチンコ遊技機１と同様の符号を付して説明を省略する。
【００４６】
制御装置５０Ａは、遊技制御用ＲＯＭ５１と、表示プレート（表示プレート部に相当する）６０Ａから構成されている。表示プレート６０Ａは、プレート部本体６１Ａと、取付片部（取付部に相当する）６７Ａ，６７Ａとから構成されている。
【００４７】
プレート部本体６１Ａは、前後方向を薄肉とし、左右方向が上下方向よりも長い略長方形状とされている。このプレート部本体６１Ａは、上下方向の長さ寸法Ｌ５が、樹脂パッケージ５６の上下方向の長さ寸法Ｌ３よりも長く形成されており、図７のＢに示すように、後面６１Ａａが、樹脂パッケージ５６の前面５６ａよりも面積の大きい広面６２Ａとされている。広面６２Ａには、遊技制御用ＲＯＭ５１の型式名や型番などの識別情報が記載された識別シール７０が貼付されるとともに、遊技制御用ＲＯＭ５１に関するその他の製品情報が印字７１されている。すなわち、広面６２Ａは、遊技制御用ＲＯＭ５１に関する情報が付された表示面６３Ａとなっている。なお、プレート部本体６１Ａの広面６２Ａの大きさは、遊技制御用ＲＯＭ５１の上面５１ｅの大きさと同程度とされている。また、制御装置５０Ａを主制御基板に実装した際に、プレート部本体６１Ａを透して後方から主制御基板の実装面を目視できるように、プレート部本体６１Ａは、無色透明又は有色透明な合成樹脂部材により形成されている。
【００４８】
図７のＡに示すように、プレート部本体６１Ａの前面６１Ａｂからは、２つの取付片部６７Ａ，６７Ａが前方へ向かって延設されている。各取付片部６７Ａ，６７Ａは、内側面の前部に、軸支突部８０，８０を備えている。軸支突部８０，８０は、遊技制御用ＲＯＭ５１の樹脂パッケージ５６の左側面５６ｃおよび右側面５６ｄに設けられた軸支孔部８１，８１に係合される。このようにして、表示プレート６０Ａは、遊技制御用ＲＯＭ５１に取り付けられ、図７のＢに示すように、軸支突部８０，８０を回動中心として遊技制御用ＲＯＭ５１に対して回動可能となっている。したがって、表示面６３Ａは、上方に向けたり下方に向けたりすることにより、基板ケース１０の正面１０ｃから見える角度を自由に調整することが可能である。
【００４９】
このような制御装置５０Ａを備える第２実施形態の遊技機では、上述した第１実施形態の遊技機と同様の効果を生じる。
【００５０】
３．第３実施形態
次に、図８に基づいて第３実施形態の遊技機（パチンコ遊技機）について説明する。第３実施形態のパチンコ遊技機が備える主制御基板には、図８のＡに示す制御装置５０Ｂが実装されている。
【００５１】
制御装置５０Ｂは、遊技制御用ＲＯＭ５１と、表示プレート（表示プレート部に相当する）６０Ｂから構成されている。表示プレート６０Ｂは、プレート部本体６１Ｂと、取付部６７Ｂとから構成されている。
【００５２】
プレート部本体６１Ｂは、第２実施形態のプレート部本体６１Ａと同様の構成とされ、後面６１Ｂａは、樹脂パッケージ５６の前面５６ａよりも面積の大きい広面６２Ｂであって遊技制御用ＲＯＭ５１に関する情報が付された表示面６３Ｂとされている。プレート部本体６１Ｂの前面６１Ｂｂからは、取付部６７Ｂが前方へ向かって延設されている。取付部６７Ｂは、左側面から見て略コ字形状とされて右方へ向かって延設されており、上壁部８３および下壁部８４の各内側面の前部に、遊技制御用ＲＯＭ５１の樹脂パッケージ５６の上面５６ｅ及び下面５６ｆに設けられた係合凹部８６，８６に係合する係合突部８５，８５が形成されている。係合突部８５，８５は、上壁部８３および下壁部８４の各内側面において、左右方向の全域にわたって形成されている。
【００５３】
表示プレート６０Ｂは、この係合突部８５，８５を係合凹部８６，８６に係合させて、取付部６７Ｂに樹脂パッケージ５６の後部を挟持させることにより、図８のＢに示すように、遊技制御用ＲＯＭ５１に取り付けられる。
【００５４】
このような制御装置５０Ｂを備える第３実施形態の遊技機では、第１実施形態で示した制御装置５０のように、基板ケース１０の正面１０ｃに対する表示面６３の角度を変更することができないものの、それ以外は、第１実施形態の遊技機と同様の効果を生じる。
【００５５】
４．第４実施形態
次に、図９に基づいて第４実施形態の遊技機（パチンコ遊技機）について説明する。第４実施形態のパチンコ遊技機が備える主制御基板には、図９のＡに示す制御装置５０Ｃが実装されている。
【００５６】
制御装置５０Ｃは、遊技制御用ＲＯＭ５１と、表示プレート（表示プレート部に相当する）６０Ｃから構成されている。表示プレート６０Ｃは、プレート部本体６１Ｃと、取付部６７Ｃ，６７Ｃとから構成されている。
【００５７】
プレート部本体６１Ｃは、第２実施形態のプレート部本体６１Ａと同様の構成とされ、後面６１Ｃａは、樹脂パッケージ５６の前面５６ａよりも面積の大きい広面６２Ｃであって遊技制御用ＲＯＭ５１に関する情報が付された表示面６３Ｃとされている。プレート部本体６１Ｃの前面６１Ｃｂからは、２つの取付部６７Ｃ,６７Ｃが前方へ向かって延設されている。各取付部６７Ｃ,６７Ｃは、左側面から見て略コ字形状とされており、上壁部８８，８８および下壁部８９，８９の各前端部に、遊技制御用ＲＯＭ５１の樹脂パッケージ５６の上面５６ｅ及び下面５６ｆに設けられた係合凹部９１，９１，９１，９１に係合する係合爪部９０，９０，９０，９０が形成されている。
【００５８】
表示プレート６０Ｃは、この係合爪部９０，９０，９０，９０を係合凹部９１，９１，９１，９１に係合させて、取付部６７Ｃ，６７Ｃに樹脂パッケージ５６の後部を挟持させることにより、図９のＢに示すように、遊技制御用ＲＯＭ５１に取り付けられる。
【００５９】
このような制御装置５０Ｃを備える第４実施形態の遊技機では、第１実施形態で示した制御装置５０のように、基板ケース１０の正面１０ｃに対する表示面６３の角度を変更することができないものの、それ以外は、第１実施形態の遊技機と同様の効果を生じる。
【００６０】
５．第５実施形態
次に、図１０に基づいて第５実施形態の遊技機（パチンコ遊技機）について説明する。第５実施形態のパチンコ遊技機が備える主制御基板には、図１０のＡに示す制御装置５０Ｄが実装されている。
【００６１】
制御装置５０Ｄは、遊技制御用ＲＯＭ５１と、表示プレート（表示プレート部に相当する）６０Ｄから構成されている。表示プレート６０Ｄは、プレート部本体６１Ｄと、取付部６７Ｄ，６７Ｄとから構成されている。
【００６２】
プレート部本体６１Ｄは、第２実施形態のプレート部本体６１Ａと同様の構成とされ、後面６１Ｄａは、樹脂パッケージ５６の前面５６ａよりも面積の大きい広面６２Ｄであって遊技制御用ＲＯＭ５１に関する情報が付された表示面６３Ｄとされている。プレート部本体６１Ｄの前面６１Ｄｂからは、２つの取付部６７Ｄ,６７Ｄが前方へ向かって延設されている。各取付部６７Ｄ,６７Ｄは、前後方向の長さ寸法Ｌ６を、遊技制御用ＲＯＭ５１の樹脂パッケージ５６の前後方向の長さ寸法Ｌ２より長く形成されている。また、各取付部６７Ｄ,６７Ｄは、左側面から見て略コ字形状とされており、上壁部９３，９３および下壁部９４，９４の各前端部に、遊技制御用ＲＯＭ５１の樹脂パッケージ５６の前面５６ａの上縁および下縁に係合する係合爪部９５，９５，９５，９５が形成されている。
【００６３】
表示プレート６０Ｄは、この係合爪部９５，９５，９５，９５を樹脂パッケージ５６の前面５６ａの上縁および下縁に係合させることにより、図１０のＢに示すように、遊技制御用ＲＯＭ５１に取り付けられる。
【００６４】
このような制御装置５０Ｄを備える第５実施形態の遊技機では、第１実施形態で示した制御装置５０のように、基板ケース１０の正面１０ｃに対する表示面６３の角度を変更することができないものの、それ以外は、第１実施形態の遊技機と同様の効果を生じる。
【００６５】
６．第６実施形態
次に、図１１に基づいて第６実施形態の遊技機（パチンコ遊技機）について説明する。第６実施形態のパチンコ遊技機が備える主制御基板には、図１１のＡに示す制御装置５０Ｅが実装されている。
【００６６】
制御装置５０Ｅは、遊技制御用ＲＯＭ５１Ｅであり、演算処理装置であるＣＰＵと、ＣＰＵにより実行される各種の遊技制御プログラムや固定値データ等を記憶したＲＯＭと、そのＲＯＭ内に記憶される制御プログラムの実行に当たって各種のデータ等を一時的に記憶するためのメモリであるＲＡＭとを一つのチップに集約した、いわゆるワンチップマイコンである。
【００６７】
この遊技制御用ＲＯＭ５１Ｅは、第１実施形態の遊技制御用ＲＯＭ５１と同様、ＺＩＰ（Zigzag  Inline  Package）タイプのＬＳＩであるが、半導体チップ（図示せず）を覆う樹脂パッケージ５６Ｅの形状が、左側面から見て上下方向の長さ寸法が前方から後方へかけて徐々に大きくなる略台形形状の四角柱（略台形柱形状）とされている。
【００６８】
詳しく述べれば、遊技制御用ＲＯＭ５１Ｅは、リードピン５７Ｅが出ている樹脂パッケージ５６Ｅの前面（一側面に相当する）５６Ｅａの大きさを、第１実施形態における樹脂パッケージ５６の前面５６ａと略同じ大きさとし、樹脂パッケージ５６Ｅの後面５６Ｅｂの大きさを、第１実施形態におけるプレート部本体６１の後面６１ａと略同じ大きさとしている。図１１のＢに示すように、この後面５６Ｅｂは、樹脂パッケージ５６Ｅの前面５６Ｅａよりも面積の大きい広面６２Ｅとなっており、広面６２Ｅには、遊技制御用ＲＯＭ５１Ｅの型式名や型番などの識別情報が記載された識別シール７０Ｅが貼付されるとともに、遊技制御用ＲＯＭ５１Ｅに関するその他の製品情報が印字７１Ｅされている。すなわち、広面６２Ｅは、遊技制御用ＲＯＭ５１Ｅに関する情報が付された表示面６３Ｅとなっている。
【００６９】
このような制御装置５０Ｅを備える第６実施形態の遊技機によれば、リードピン５７Ｅが樹脂パッケージ５６Ｅの一側面５６Ｅａのみから出ている制御装置５０Ｅであっても、主基板ケース１０の正面１０ｃに略向く面は、一側面５６Ｅａより面積の大きい広面６２Ｅとされ、この広面６２Ｅは、制御装置５０Ｅに関する情報の付された表示面６３Ｅとなる。そのため、主基板ケース１０の正面１０ｃから表示面６３Ｅに略正対して、識別シール７０Ｅや印字７１Ｅによって表示面６３Ｅに付された制御装置５０Ｅに関する情報を目視することができるので、制御装置５０Ｅに関する情報を容易に確認することができる。
【００７０】
７．変更例
以上、本発明の実施形態について説明したが、本発明の実施にあたっては、上記実施形態に限定されるものではなく、特許請求の範囲を逸脱しない限りにおいて種々の構成を採り得る。
【００７１】
例えば、実施形態では、制御装置を、主制御基板５に実装される制御装置５０として説明したが、払出制御基板７などの他の制御基板に実装される制御装置（払出制御用ＲＯＭ１８や演出制御用ＲＯＭなど）を、本発明の制御装置として構成してもよい。
【００７２】
また、実施形態では、遊技制御用ＲＯＭ５１に、ＺＩＰ（Zigzag  Inline  Package）タイプのＬＳＩを用いたが、樹脂パッケージの一側面のみからリードピンが取り出されている構成のＬＳＩであれば、ＳＩＰ（Ｓingle  Inline  Package）タイプのＬＳＩなど、他のタイプのＬＳＩを用いてもよい。
【００７３】
なお、実施形態では、遊技機を、パチンコ遊技機として説明したが、スロットマシンなど他の遊技機により構成してもよい。
【符号の説明】
【００７４】
１…パチンコ遊技機
５…主制御基板
５ａ…実装面
１０…基板ケース
１０ｃ…基板ケースの正面
５０…制御装置
５１…遊技制御用ＲＯＭ（制御装置本体部）
５６…樹脂パッケージ
５６ａ…樹脂パッケージの前面（一側面）
５７…リードピン
６０…表示プレート（表示プレート部）
６１…プレート部本体
６２…広面
６３…表示面
６７…取付部
【図１】
0005443279.tif 000002
【図２】
0005443279.tif 000003
【図３】
0005443279.tif 000004
【図４】
0005443279.tif 000005
【図５】
0005443279.tif 000006
【図６】
0005443279.tif 000007
【図７】
0005443279.tif 000008
【図８】
0005443279.tif 000009
【図９】
0005443279.tif 000010
【図１０】
0005443279.tif 000011
【図１１】
0005443279.tif 000012
【図１２】
0005443279.tif 000013
【図１３】
0005443279.tif 000014